(57)【要約】【課題】全身の清拭に適する大きさを備えながら、使用時の利便性、並びに、携帯時及び保管時の利便性を兼ね備えたウェットシート製品を提供する。【解決手段】不織布に薬液が含浸されてなるウェットシート２が包装されてなるウェットシート製品１において、ウェットシート２は、展開状態において繊維の流れ方向を長辺とする長方形をなし、前記長辺と平行な複数の折線２１で折り返されるとともに、前記長辺に垂直な複数の折線２２及び折線２３で蛇腹折りにされた状態で包装されるよう構成する。【選択図】図２
2019187799.tif 000002
【特許請求の範囲】
【請求項１】
不織布に薬液が含浸されてなるウェットシートが包装されてなるウェットシート製品において、
前記ウェットシートは、
展開状態において繊維の流れ方向を長辺とする長方形をなし、
前記長辺と平行な複数の折線で折り返されるとともに、前記長辺に垂直な複数の折線で蛇腹折りにされた状態で包装されていることを特徴とするウェットシート製品。
【請求項２】
請求項１に記載のウェットシート製品であって、
前記ウェットシートは、占有面積が１５０ｃｍ２〜４００ｃｍ２の状態で包装されていることを特徴とするウェットシート製品。
【請求項３】
請求項１又は請求項２に記載のウェットシート製品であって、
前記ウェットシートの包装材は、ガスバリア性及び遮光性に優れたフィルムからなることを特徴とするウェットシート製品。
【請求項４】
請求項１〜３のいずれか一に記載のウェットシート製品であって、
単位製品当たり複数枚の前記ウェットシートが、再封可能に包装されてなるウェットシート製品。
【発明の詳細な説明】
【技術分野】
【０００１】
本発明は、大面積のウェットシートが包装されてなる全身清拭用のウェットシート製品に関する。
【背景技術】
【０００２】
介護やアウトドア、災害時などの入浴の代替手段として全身の清拭に使用するウェットシートには、１枚あたりの面積が大きいものが求められている。しかしながら、一般に大判ウェットシートとして提供されているものの寸法は、展開状態で２０ｃｍ×３０ｃｍ程度しかなく、上記用途に用いるには大きさが不足している。このため、一度の清拭の間に何度もウェットシートを取り替える手間が必要となっている。
【０００３】
このような状況に対応するものとして、特許文献１に開示されたウェットシート製品がある。このウェットシート製品は、長手方向６０ｃｍ〜１２０ｃｍ、短手方向２５ｃｍ〜６０ｃｍのタオル状のシート体を長手方向に複数回折り畳んで短手方向に巻いたロール体を包装したものであり、上述の一般的な大判ウェットシートより大面積のウェットシートからなる製品である。
【先行技術文献】
【特許文献】
【０００４】
【特許文献１】特開２００９−１１７０２号公報
【発明の概要】
【発明が解決しようとする課題】
【０００５】
しかしながら、特許文献１に開示されたウェットシート製品は、ロール状に巻かれて包装されているため、清拭を行うためには、包装材からの取り出し後に、一度ウェットシートを平らになるよう展開し、再び適度な大きさに畳み直すという手間を要するものであった。また、ロール状という形状の性質上、嵩張りやすく、携帯時や保管時に大きなスペースを要するものでもあった。さらに、ウェットシートの長手方向の伸び率が短手方向よりも大きいため、ウェットシートの長手方向両端を持って引っ張ると、ウェットシートの長手方向が伸びやすい分、短手方向が縮んで全体形状が細くなり、清拭時に肌に触れる部分が狭くなってしまうので、背中の清拭等の際に不便であった。
【０００６】
本発明は、従来のこのような問題点に鑑み、全身の清拭に適する大きさを備えながら、使用時の利便性、並びに、携帯時及び保管時の利便性を兼ね備えたウェットシート製品を提供することにある。
【課題を解決するための手段及び効果】
【０００７】
本発明の第１の側面に係るウェットシート製品によれば、不織布に薬液が含浸されてなるウェットシートが包装されてなるウェットシート製品において、前記ウェットシートは、展開状態において繊維の流れ方向を長辺とする長方形をなし、前記長辺と平行な複数の折線で折り返されるとともに、前記長辺に垂直な複数の折線で蛇腹折りにされた状態で包装されるよう構成することができる。
【０００８】
前記構成によれば、長辺が蛇腹に折り畳まれた状態で包装されているので、長辺が二つ折りのものと、折り畳まれた状態における占有面積を同一として比較すると、折り畳まれた状態における厚みがより大きく、展開状態におけるウェットシートの面積がより大きい。また、薬液の含浸率が同一であっても、折り畳まれた状態における表面積に対する含浸液量が多いため、ウェットシートの湿潤状態をより長く保つことができる。これらの特徴により、１枚のウェットシートで、より広範囲を清拭することができる。
【０００９】
また、ロール状に巻かれた状態で包装されているもののように、取り出してから清拭を行うまでにウェットシートを展開して畳み直すという手間を要しないため、使用時の利便性を損なうことがない。
【００１０】
さらに、ロール状であれば、その形状の性質上、嵩張りやすく、携帯時や保管時に大きなスペースを要するが、上記構成によればよりコンパクトに携帯又は保管することが可能である。
【００１１】
さらにまた、ウェットシートが繊維の流れ方向を長辺とする長方形をなしているため、ウェットシートを引き延ばす方向の力が働いても、ウェットシートの面積が減少する変形（長辺がさらに伸び、短辺がさらに縮小する変形）を抑制することができる。
【００１２】
すなわち、前記構成によれば、使用時の利便性、並びに、携帯時及び保管時の利便性を損なうことなく、大面積のウェットシートを提供することができる。
【００１３】
また、本発明の第２の側面に係るウェットシート製品によれば、前記ウェットシートは、占有面積が１５０ｃｍ２〜４００ｃｍ２の状態で包装されるよう構成することができる。
【００１４】
前記構成によれば、大面積のウェットシートが、清拭に適したサイズに折り畳まれた状態で包装されているので、包装材から取り出してすぐに清拭を行うことができ、より簡便に使用することができる。
【００１５】
さらにまた、本発明の第３の側面に係るウェットシート製品によれば、前記ウェットシートの包装材は、ガスバリア性及び遮光性に優れたフィルムからなるよう構成することができる。
【００１６】
前記構成によれば、包装材をガスバリア性及び遮光性に優れたフィルムとすることで、ウェットシートの経時劣化が抑制されるので長期保存が可能となり、特に防災備蓄品としての利用適性が向上する。
【００１７】
さらにまた、本発明の第４の側面に係るウェットシート製品によれば、単位製品当たり複数枚の前記ウェットシートが、再封可能に包装されてなるよう構成することができる。
【００１８】
前記構成によれば、個包装のものと比較してウェットシート１枚あたりに要する包装材の量が少ないため、省資源化につながるとともに、製造コストの削減及び低価格での提供が可能となる。
【図面の簡単な説明】
【００１９】
【図１】本発明を適用したウェットシート製品の概略斜視図である。なお、破線は内部に包装されているウェットシートの概形を表している。
【図２】本発明の第一実施例に係るウェットシート製品に包装されているウェットシートの折り形状の説明図である。
【図３】本発明を適用したウェットシート製品に包装されているウェットシートの折り形状の例を示す説明図である。
【発明を実施するための形態】
【００２０】
以下、本発明の実施の形態を図面に基づいて説明する。ただし、以下に示す実施の形態は、本発明の技術思想を具体化するための例示であって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。尚、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（第一実施例）
（ウェットシート製品１の構成）
【００２１】
本発明の第一実施例に係るウェットシート製品１の概略斜視図を図１に示す。図１に示すように、ウェットシート製品１は、ウェットシート２が包装材３によって密封包装されたものである。
（ウェットシート２）
【００２２】
ウェットシート２は、薬液を含浸した不織布からなる。
【００２３】
ウェットシート２に用いられる薬液は、例えば、水にエタノール等の清浄成分、ＰＧやＢＧ、グリセリン等の保湿成分、その他植物由来のエキス等を適宜配合したものとすることができる。また、薬液の含浸量は、不織布重量の２〜５倍程度が好適である。
【００２４】
不織布としては、例えば、目付３０ｇ／ｍ２〜８０ｇ／ｍ２程度の、コットンやレーヨンを原料とするスパンレース不織布が好適である。
（ウェットシート２の形状）
【００２５】
ウェットシート２の形状について、図２に示す説明図に基づいて説明する。ウェットシート２の形状は、展開状態（Ａ）において、不織布の繊維の流れ方向を長辺とする長方形をなしており、例えば、長辺９０ｃｍ×短辺３０ｃｍ程度の寸法とすることができる。なお、以下の説明において、長辺に沿う方向を「長さ方向」、長さ方向の寸法を「長さ」、短辺に沿う方向を「幅方向」、幅方向の寸法を「幅」と記載する。
【００２６】
ウェットシート２は、展開状態（Ａ）から、長辺に沿った２本の折線２１において谷折りされることにより状態（Ｂ）を経由して、さらに長辺に垂直な複数の折線２２において谷折り、折線２３において山折りされることにより蛇腹状に折り畳まれた状態（Ｃ）で包装されている。
【００２７】
折線２１は、展開状態（Ａ）のウェットシート２が当該折線において折り返された際に、長辺同士が幅方向中央において当接するよう設けられており、展開状態（Ａ）の２分の１の幅に折り上がっている。また、ウェットシート２は、折線２２及び２３によって長さ方向に６等分されており、展開状態（Ａ）の６分の１の長さに折り上がっている。
【００２８】
すなわち、ウェットシート２は、使用に際して、折り上がりの状態（Ｃ）の占有面積に対して１２倍分の面積にまで展開可能であるとともに、不織布１２枚分の厚みとなるよう折り畳まれているため、清拭に適したクッション性も備えている。また、展開状態（Ａ）において長辺９０ｃｍ×短辺３０ｃｍの不織布を用いている場合であれば、折り上がった状態（Ｃ）の占有面積は、長さ１５ｃｍ×幅１５ｃｍの２２５ｃｍ２となり、手を開いた状態で押し当てるのに適した面積となっている。
【００２９】
なお、図２に示す折り形状は一例であり、ウェットシートの折り上がった状態における占有面積が開いた手の大きさに適する１５０ｃｍ２〜４００ｃｍ２程度となるならば、例えば、折線２２及び２３の山折りと谷折りを逆転させてもよいし、本数を変更してもよい。ただし、蛇腹折りとは、折線２２及び２３が、少なくとも各１本設けられている折り方であり、いずれか１本の場合を含まない。なぜならば、折線２２及び２３のいずれか１本のみによる折り方は、一般的な長さ方向２つ折りのウェットシートと同一であり、展開状態（Ａ）における面積が十分に大きいものにならないためである。
【００３０】
また、ウェットシート２の図２（Ｂ）における折り形状の断面図を表すと図３ａのようになるが、この断面形状が図３ｂ〜ｄに示すような形状となるよう、折線２１の本数及び折り返し方向を変更することも可能である。図３ｂに示す形状は、ウェットシート２における２本の折線２１の一方を谷折り、他方を山折りとしたものである。また、図３ｃに示す形状は、展開状態（Ａ）のウェットシートの短辺を６等分する線のうち、中心線を除く４本を折線２１とし、内側の２本の折線２１においては谷折り、外側の２本の折線２１においては山折りとしたものである。さらに、図３ｄに示す形状は、図３ｃの形状と同様の４本を折線２１とし、隣り合う折線２１同士の折り返し方向を互い違いにしたものである。
【００３１】
なお、以上に示した例では、折線２１〜２３はすべて、ウェットシートの幅又は長さを複数等分するものであるが、本発明は各部の寸法が均等であるものに限定されない。
（包装材３）
【００３２】
包装材３は、例えば、ガスバリア性及び遮光性に優れたアルミ箔フィルムからなり、ウェットシート２を密封するための部材である。包装材３による包装形状は、例えば、図１に示すようなヘッダー付き合掌袋とすることができる。
【００３３】
包装材３に、ガスバリア性及び遮光性に優れた素材を用いることで、ウェットシート２の経時劣化が抑制されるため、長期間の保存にも耐える製品とすることができ、防災備蓄品としての利用にも適したものとすることができる。
【００３４】
また、包装材３に、フィルムのような軟質で変形可能な素材を用いることで、ウェットシート２が平たい蛇腹状に折り畳まれていることと相まって、携帯時や保管時に狭い隙間等に適宜変形させて挿入することが可能となり、嵩張ることがない。
（第二実施例）
【００３５】
本発明の第二実施例に係るウェットシート製品４（図示していない。）は、複数枚のウェットシート２が、まとめて包装材５（図示していない。）によって再封可能に密封包装されたものである。
【００３６】
包装材５としては、例えば、ガスバリア性及び遮光性に優れたアルミ箔フィルムによるチャック付き袋を用いることができる。なお、ウェットシート２の構成については、第一実施例と同様であるため省略する。
【００３７】
この構成により、一度開封した後でも簡単に再密封が可能となるので、複数枚のウェットシート２を一度に使い切らない場合でも、好適な保管状態を保つことができる。また、個包装のものと比較して、１枚のウェットシート２に要する包装材の量が少ないため、省資源化につながるとともに、製造コストの削減及び低価格での提供が可能となる。
【産業上の利用可能性】
【００３８】
本発明に係るウェットシート製品は、特に、介護用品やアウトドア用品、防災備蓄品として好適に使用できる。
【符号の説明】
【００３９】
１，４…ウェットシート製品
２…ウェットシート
２１，２２，２３…折線
３，５…包装材
【図１】
2019187799.tif 000003
【図２】
2019187799.tif 000004
【図３】
2019187799.tif 000005